(57)【特許請求の範囲】
【請求項１】
１または複数の基本照明ユニットと、
基本照明用ルーバーまたは複合照明用ルーバーのいずれかを選択的に取り付けられ、上記基本照明ユニットに電源を供給するための端子台を略中央に有し、前記端子台の両側にそれぞれ分かれて開設されている２つの開口部を有するとともに、前記基本照明ユニットの両端部を前記開口部に着脱可能に取り付ける取付枠と、を備え、
前記基本照明ユニットがそれぞれの前記開口部に取り付けられる場合は、前記基本照明用ルーバーが選択され、前記基本照明ユニットがいずれかの前記開口部に取り付けられる場合は、前記複合照明用ルーバーが選択されて取り付けられることを特徴とする照明装置。
【請求項２】
上記複合照明用ルーバーが、ダウンライト器具を直接取付け取外し可能としていること又は取付用開口部を開設していることを特徴とする請求項１に記載の照明装置。
【発明の詳細な説明】
【０００１】
【発明の属する技術分野】
本発明は、例えば、店舗照明および展示用照明などの照明装置に関する。
【０００２】
【従来の技術】
一般に、デパートなどの店舗における照明としては、図７に示すような店舗全般を均等に明るくする全般照明と、第８図に示すような商品などの陳列物を集中的に照射して演出するスポット照明の２種類の照明を使い分けている。
【０００３】
従来、売場の模様替え等に伴い照明器具の変更を必要とする場合、特に、スポット照明の変更・増設・撤去の作業が発生するが、その都度、電設工事や天井仕上げ材の切込み補強・加工工事を行っていた。
【０００４】
【発明が解決しようとする課題】
よって、上記従来の電設工事は本格的なものとなり、また、仕上げ材の切込み補強・加工工事等の建築依頼工事も発生し、工事コストが高くなるだけでなく、天井仕上げの美観性も損なわれる虞がある等の問題点があった。
【０００５】
本発明は、上記従来の課題を解決するためになされたもので、その目的とするところは、本格的な電設工事や天井仕上げ材の加工工事等を必要とせず、迅速かつ安価に照明の演出方法の変更を行うことができる照明装置を提供することにある。
【０００６】
【課題を解決するための手段】
本発明の照明装置は、１または複数の基本照明ユニットと、基本照明用ルーバーまたは複合照明用ルーバーのいずれかを選択的に取り付けられ、上記基本照明ユニットに電源を供給するための端子台を略中央に有し、前記端子台の両側にそれぞれ分かれて開設されている２つの開口部を有するとともに、前記基本照明ユニットの両端部を前記開口部に着脱可能に取り付ける取付枠と、を備え、前記基本照明ユニットがそれぞれの前記開口部に取り付けられる場合は、前記基本照明用ルーバーが選択され、前記基本照明ユニットがいずれかの前記開口部に取り付けられる場合は、前記複合照明用ルーバーが選択されて取り付けられることを特徴とする。また、上記複合照明用ルーバーが、ダウンライト器具を直接取付け取外し可能としていること又は取付用開口部を開設していることを特徴とする。
【０００７】
【発明の実施の形態】
以下、本発明の実施例について図面を参照しながら説明する。図１及び図２において、１は基本照明ユニットであって、照明範囲を全般的に且つ均等に照明する照明器具、例えば３６Ｗ又は５５Ｗのコンパクト型又は直管型の蛍光管（図示せず）を備えている。
【０００８】
２は、周囲を枠板２ａにより囲まれた取付枠であって、複数（本実施例では２個）の基本照明ユニット１を取り付けることが可能な開口部２ｂを上部に開設している。該開口部２ｂの間には、上記基本照明ユニット１に電源を供給するための端子台２ｃが設けられている。
【０００９】
本実施例では、図３（Ａ）に示すように、２つの開口部２ｂが端子台２ｃの両側にそれぞれ分かれて開設されているが、図３（Ｂ）に示すように、複数の開口部２ｂを連続して開設してもよい。なお、上記枠板２ａの内面は照明光の反射機能を有する。上記取付枠２の下部周縁部２ｄは、天井仕上げ材の切込み開口内にセットされる。
【００１０】
３は基本照明用ルーバーであって、上記基本照明ユニット１に設けられた光源からの照明光の方向を規制したり反射して、照明範囲の全般を均等に照明できるようにしている。
【００１１】
上記各器具を天井に取り付ける場合には、まず、図１に示すように、上記取付枠２内に基本照明用ルーバー３をセットする。続いて、図２に示すように、上記取付枠２の開口部２ｂに上記基本照明ユニット１を嵌め込んで、ビス１ａ等により取付穴２ｅに取り付ける。以上のように、基本照明用ルーバー３および基本照明ユニット１を組み付けられた取付枠２を、店舗建物等の天井スラブに吊りボルト（図示せず）を介して吊設する。なお、基本照明用ルーバー３の取付枠２への取付は、該取付枠２を天井スラブに吊設した後に行っても良い。
【００１２】
次に、上記基本照明ユニット１による全般照明を、スポット照明との複合照明に変更するには、まず、上記基本照明用ルーバー３を取付枠２から取り外してから、複数（２個）の基本照明ユニット１のうち、不要な基本照明ユニット１を取付枠２から取り外しておく。続いて、図４に示すように、上記取付枠２に複合照明用ルーバー４をセットする。該複合照明用ルーバー４にはスポット照明用のダウンライト器具５を取り付けるための取付用開口部４ａが形成されていて、これに、前もって或いは後からダウンライト器具５を取り付ける。
【００１３】
図４に示す実施例では、ダウンライト器具５を複合照明用ルーバー４の取付開口部４ａに取り付けるようにしているが、図５に示すように、複合照明用ルーバー４に開口部４ａを設けることなく、ダウンライト器具５を直接取り付けても良い。また、図６に示すように、上記複合照明用ルーバー４にはダウンライト器具を直付け又は取付け取外し可能なライティングダクト６を取り付ける方法もある。
【００１４】
なお、全ての基本照明ユニット１を取付枠２から取り外すと共に、ルーバーをスポットライト用ルーバーに取り替えることにより、スポット照明のみとすることも可能である。
【００１５】
【発明の効果】
１）本格的な電設工事や天井仕上げ材の加工工事等を必要とせず、迅速かつ安価に照明の演出方法の変更を行うことができる。
２）天井仕上げ材の美観性が損なわれることなく、照明の変更ができる。
【図面の簡単な説明】
【図１】  本発明の照明装置の第１の実施例における取付枠へのルーバーの取付説明図である。
【図２】  本発明の照明装置の第１の実施例における取付枠への基本照明ユニットの取付説明図である。
【図３】  取付枠に開設する開口部の配置の説明図である。
【図４】  本発明の照明装置の別の実施例を示す分解斜視図である。
【図５】  本発明の照明装置のまた別の実施例を示す斜視図である。
【図６】  本発明の照明装置のさらに別の実施例を示す斜視図である。
【図７】  従来の基本照明器具の取付け状態を示す断面図である。
【図８】  従来のダウンライト照明器具の取付け状態を示す断面図である。
【符号の説明】
１  基本照明ユニット
１ａ  ビス
２  取付枠
２ａ  枠板
２ｂ  開口部
２ｃ  端子台
２ｄ  下部周縁部
２ｅ  取付穴
３  基本照明用ルーバー
４  複合照明用ルーバー
４ａ  取付開口部
５  ダウンライト器具
６  ライティングダクト
【図１】
0004162285.tif 000002
【図２】
0004162285.tif 000003
【図３】
0004162285.tif 000004
【図４】
0004162285.tif 000005
【図５】
0004162285.tif 000006
【図６】
0004162285.tif 000007
【図７】
0004162285.tif 000008
【図８】
0004162285.tif 000009